(57)【要約】【課題】指または先端に鉤部を有する工具を使用することにより簡単に取り外せ、引いては、作業能率が向上できる農園芸用シート止着具を提供する。【解決手段】先端が尖形に形成され土壌Ｍ中に押し込まれる埋込杆部１と、該埋込杆部１の基端に一体に設けられ該埋込杆部１の中心軸線方向から見て該埋込杆部１よりも幅広なシート押頭部２と、前記埋込杆部１の外周面に一体に突設されシート押頭部２側へ傾斜する抜止部４と、を有し、シート押頭部２には、前記埋込杆部１を含む面に沿って開口しかつ指または先端に鉤部１０ａを有する工具９を用いて土壌Ｍ中から引き抜く際に該指または該鉤部１０ａを挿通する引抜用孔７が設けられている。【選択図】図１
2011223880.tif 000002
【特許請求の範囲】
【請求項１】
先端が尖形に形成され土壌中に打ち込まれる埋込杆部と、前記埋込杆部の基端に一体に設けられ該埋込杆部の中心軸線方向から見て該埋込杆部よりも幅広なシート押頭部と、前記埋込杆部の外周面に一体に突設され前記シート押頭部側へ傾斜する抜止部と、を有し、
前記シート押頭部には、前記埋込杆部を含む面に沿って開口しかつ指または先端に鉤部を有する工具を用いて土壌中から引き抜く際に該指または該鉤部を挿通する引抜用孔が設けられていることを特徴とする農園芸用シート止着具。
【発明の詳細な説明】
【技術分野】
【０００１】
本発明は、畑やビニールハウス内で農作物を栽培する畝の表面に被せて該表面を覆う農園芸用シートを前記畝の表面に固定しておく農園芸用シート止着具に関するものである。
【背景技術】
【０００２】
従来、畑やビニールハウス内で農作物を栽培する場合、土壌によって栽培用の畝を多く造ると共に該各畝の表面に合成樹脂製の農園芸用シートを被せるようにしている。該農園芸用シートは、畝を覆って保温性を高め、かつ、鳥や害虫から農作物を保護するために使用されるものである。そして、特に畑の場合、農園芸用シートが風に煽られるなどして理由も無く捲れたり移動しないように、該農園芸用シートの所定個所にその表側から農園芸用シート止着具を該農園芸用シートを破って貫き土壌の中にまで達するように打ち込んでいる。該農園芸用シート止着具は、例えば次のような構成からなっている。
【０００３】
すなわち、前記農園芸用シート止着具は、合成樹脂材からなり先端が尖形に形成され土壌中に打ち込まれる埋込杆部と、該埋込杆部の基端に直交するように一体に設けられる幅広のシート押頭部と、からなっている。また、前記押込杆部の対向する両側面とシート押頭部の裏面とには、土壌中に打ち込んだとき該農園芸用シート止着具が理由も無く抜けたり移動しないように安定して固定されるように、先の尖った複数の抜止部が突設されている。そして、農園芸用シートの表面の所定位置に押込杆部を当て、シート押頭部を上から打ち付けて農園芸用シート止着具を土壌中に打ち込むようにしている。この際、シート押頭部は農園芸用シートにめり込む（例えば、特許文献１参照。）。
【先行技術文献】
【特許文献】
【０００４】
【特許文献１】特開平１０−７５６６６号公報（第２−４頁、図１、図２）
【発明の概要】
【発明が解決しようとする課題】
【０００５】
しかしながら、前記特許文献１に係る農園芸用シート止着具にあっては、農園芸用シートを取り外す時期が来たとき農園芸用シート止着具を取り外すことになるが、農園芸用シートに打ち込んで固定した状態ではシート押頭部が農園芸用シート内にめり込んでいるので、農園芸用シート止着具を手先の指で挟んで抜こうとすると、抜止部が邪魔することも相俟って抜き難い。しかも、数多くの農園芸用シート止着具を抜かねばならないとすると、極めて面倒な作業を強いられ多くの作業時間が掛かり、引いては作業能率が向上しないという課題がある。ただ、先端に鉤部を有する工具を使用して農園芸用シートとシート押頭部との間に前記工具の先端の鉤部を差し込み、シート押頭部を引き起こすようにして農園芸用シート止着具を取り外す方法もあるが、この方法にあってもシート押頭部が農園芸用シートにめり込んでいると、その間に工具の鉤状の先端を差し込むことは簡単ではない。
【０００６】
そこで、本発明は上記課題を解決すべくなされたもので、指または先端に鉤部を有する工具を使用することにより簡単に取り外せ、引いては、作業能率が向上できる農園芸用シート止着具を提供することを目的とするものである。
【課題を解決するための手段】
【０００７】
かかる目的を達成するため本発明の農園芸用シート止着具は、先端が尖形に形成され土壌中に打ち込まれる埋込杆部と、前記埋込杆部の基端に一体に設けられ該埋込杆部の中心軸線方向から見て該埋込杆部よりも幅広なシート押頭部と、前記埋込杆部の外周面に一体に突設され前記シート押頭部側へ傾斜する抜止部と、を有し、前記シート押頭部には、前記埋込杆部を含む面に沿って開口しかつ指または先端に鉤部を有する工具を用いて土壌中から引き抜く際に該指または該鉤部を挿通する引抜用孔が設けられていることを特徴とする。
【発明の効果】
【０００８】
本発明に係る農園芸用シート止着具は、先端が尖形に形成され土壌中に打ち込まれる埋込杆部と、前記埋込杆部の基端に一体に設けられ該埋込杆部の中心軸線方向から見て該埋込杆部よりも幅広なシート押頭部と、を有し、該シート押頭部に、埋込杆部を含む面に沿って開口しかつ指または先端部が鉤状をなす工具を用いて土壌中から引き抜く際に該指または該鉤状の先端部を挿通する引抜用孔を設けるようにした。よって、農園芸用シートの上から土壌中に打ち込まれた農園芸用シート止着具を引き抜く場合、前記引抜用孔に指または工具の先端の鉤部を挿通してそのまま上方へ引き上げるのみで、農園芸用シート止着具を簡単に引き抜いて取り外すことができる。これにより、作業能率が向上できるという効果が有る。
【図面の簡単な説明】
【０００９】
【図１】本発明に係る農園芸用シート止着具の斜視図。
【図２】同正面図。
【図３】（イ）は同平面図、（ロ）は同側面図。
【図４】図３（ロ）のＸ−Ｘ線断面図。
【図５】工具の斜視図。
【図６】本発明に係る農園芸用シート止着具の使用状態を示す斜視図。
【図７】本発明に係る農園芸用シート止着具の使用状態を示す斜視図。
【図８】同縦断面図。
【図９】本発明に係る農園芸用シート止着具の使用状態を示す斜視図。
【発明を実施するための形態】
【００１０】
以下、本発明に係る農園芸用シート止着具の最良の実施の形態を図面に基づき詳しく説明する。図１は本発明に係る農園芸用シート止着具の斜視図、図２は同正面図、図３（イ）は同平面図、図３（ロ）は同側面図、図４は図３（ロ）のＸ−Ｘ線断面図である。農園芸用シート止着具Ａは、硬質の合成樹脂材により成形される。ただ、この農園芸用シート止着具Ａは、紫外線を受けてそれにより劣化する可能性があるので、例えば紫外線吸収剤を添加して耐候性を高めるようにしている。
【００１１】
農園芸用シート止着具Ａは、先端が尖形に形成され土壌中に打ち込まれる埋込杆部１と、該埋込杆部１の基端に一体に設けられ該埋込杆部１の中心軸線方向から見て該埋込杆部１よりも幅広なシート押頭部２と、から概ね構成される。
【００１２】
埋込杆部１は、その中心軸線に対して直交する断面形状がＨ型に形成され、表裏面の長手方向に沿って適宜間隔を置き該長手方向と直交する複数の補強リブ３が設けられている。また、埋込杆部１の外周面であって前記補強リブ３が設けられてない両側面１ａ，１ａに、その長手方向に沿ってシート押頭部２側へ傾斜する複数の抜止部４が突設されている。
【００１３】
前記シート押頭部２は、湾曲した略帯板状の押板部５とその裏面中央であって埋込杆部１側に一体に設けられる支持板部６とからなっている。埋込杆部１の基端は、支持板部６の下面に接続されることになる。押板部５の中央部が埋込杆部１とは反対側へ膨出しているのに対し、支持板部６は埋込杆部１側へ膨出している。そして該支持板部６に、埋込杆部１を含む面に沿って開口する引抜用孔７が設けられている。該引抜用孔７は、作業者の指または先端に鉤部１０ａを有する後記する工具９を用いて農園芸用シート止着具Ａを土壌中から引き抜く際に、該指または該工具９の先端の鉤部１０ａを挿通するためのものである。また、引抜用孔７両側の支持板部６には、肉盗み用の小さい透孔８，８が開設される。
【００１４】
図５は農園芸用シート止着具Ａを取り外すための工具の斜視図である。工具９は、金属棒１０が一定の長さの柄部１１の先端に設けられ、該金属棒１０の先端部をほぼ９０度屈曲させて鉤部１０ａが設けられている。柄部１１の基端側には、収納時に吊り下げておくための吊り紐１２が取着されている。これは、一例であって、この工具９に限られるものではない。例えば、長い金属棒の先端部を単にＬ字型に屈曲させたものでも良い。
【００１５】
本発明に係る農園芸用シート止着具Ａは上記構成からなり、次に図６乃至図９に基づきその使用方法を説明する。図６、図７、図９はそれぞれ本発明に係る農園芸用シート止着具Ａの使用状態を示す斜視図、図８は図７の縦断面図である。図６は土壌を盛って作られた畝に被せられた合成樹脂製の農園芸用シートＳ（一般には、「マルチシート」と呼ばれている。）が理由も無く捲れたり移動しないように、該農園芸用シートの上から土壌Ｍ中に農園芸用シート止着具Ａを打ち込んだ状態である。この状態では、図８に示すように埋込杆部１が土壌Ｍ中に埋め込まれ、シート押頭部２の押板部５の長手方向に沿った両側の下面部５ａ，５ａと支持板部６の下面部６ａとが農園芸用シートＳの上面に接触している。
【００１６】
そして、これにより農園芸用シートＳが理由も無く捲れたり移動するようなことがなく、農作物が植えられた畝をしっかりと覆う。また、農園芸用シート止着具Ａは、埋込杆部１の両側面１ａ，１ａに設けられた複数の抜止部４が土壌Ｍに食い込み抜け止め機能を果し、農園芸用シート止着具Ａがしっかりと固定される。更に、図示は省略するが、一直線上に並ぶ２個または３個、４個といった隣り合う複数個の農園芸用シート止着具Ａ，Ａ間に各引抜用孔７にパイプ状の押え棒を挿通し、該押え棒で農園芸用シートを押さえるようにすることもできる。各引抜用孔７に押え棒を挿通した状態では、該押え棒が農園芸用シートの表面に強く接触するように引抜用孔７の内径や位置が設定される。具体的には、引抜用孔７における埋込杆部１側の内周縁が、農園芸用シートＳの上面にほぼ接するようになっている。これにより、各農園芸用シート止着具Ａにあっては農園芸用シートＳを点で押さえるのに対し、押え棒にあっては農園芸用シートを線で押さえることができるようになり、この場合は農園芸用シートＳがより安定して固定される。
【００１７】
そこで、前記畝から農園芸用シートＳを剥がして取り外すには、まず、農園芸用シート止着具Ａを取り外すことになるが、この場合、作業者が引抜用孔７に指を挿通して取り外す方法と工具９を挿通して取り外す方法とがある。いずれもその方法はほとんど同じなので、ここでは工具９を使用して農園芸用シート止着具Ａを取り外す場合を説明する。図７、図８に示すように工具９を用意し、金属棒１０先端の鉤部１０ａを横方向からシート押頭部２に開設された引抜用孔７に挿通する。そして、この状態で図９に示すように工具９を引き上げ、農園芸用シート止着具Ａを抜いて取り外す。このように、金属棒１０の先端の鉤部１０ａを引抜用孔７に挿通して引き上げるのみで農園芸用シート止着具Ａが簡単に取り外せる。
【００１８】
以上のように、本発明に係る農園芸用シート止着具Ａは、先端が尖形に形成され土壌Ｍ中に打ち込まれる埋込杆部１と、該埋込杆部１の基端に一体に設けられ該埋込杆部１の中心軸線方向から見て該埋込杆部１よりも幅広なシート押頭部２と、を有し、該シート押頭部２に、埋込杆部１を含む面に沿って開口しかつ先端に鉤部１０ａを有する工具９を用いて土壌Ｍ中から引き抜く際に先端の鉤部１０ａを挿通する引抜用孔７を設けている。よって、農園芸用シートＳの上から土壌Ｍ中に打ち込まれた農園芸用シート止着具Ａを引き抜く場合、前記引抜用孔７に指または工具９の先端の鉤部１０ａを挿通してそのまま上方へ引き上げるのみで、農園芸用シート止着具Ａを簡単に引き抜いて取り外すことができる。これにより、作業能率が向上する。
【００１９】
本発明にあっては、引抜用孔７をシート押頭部２における支持板部６に開設したが、これに限られるものではなく、例えば押板部５の埋込杆部１とは反対側の表面に引抜用孔を有するリング状の環状部を設けるようにしても良い。
【符号の説明】
【００２０】
１              埋込杆部
１ａ            側面
２              シート押頭部
３              補強リブ
４              抜止部
５              押板部
５ａ            側部
６              支持板部
６ａ            下面部
７              引抜用孔
８              透孔
９              工具
１０            金属棒
１０ａ          鉤部
１１            柄部
１２            吊り紐
Ａ              農園芸用シート止着具
Ｓ              農園芸用シート
Ｍ              土壌
【図１】
2011223880.tif 000003
【図２】
2011223880.tif 000004
【図３】
2011223880.tif 000005
【図４】
2011223880.tif 000006
【図５】
2011223880.tif 000007
【図６】
2011223880.tif 000008
【図７】
2011223880.tif 000009
【図８】
2011223880.tif 000010
【図９】
2011223880.tif 000011